(57)【要約】【課題】  文書作成の際における利用者の利便性を向上させる。【解決手段】  変換前文字列が入力された場合に、変換候補表示制御部３７が、関連文字列記憶部２４Ｃ内における当該変換前文字列に関連する文字列と、関連テンプレート記憶部２４Ｔ内の当該変換前文字列に対応するテンプレート及びそのシンボルとを呼び出す。引き続き、変換候補表示制御部３７が、呼び出された文字列及びシンボルを、表示部１３の表示画面における変換候補表示領域に表示させる。表示部１３に変換候補が表示されている状態で、変換候補選択カーソルがテンプレートのシンボルに合わされると、メール本文編集制御部３６が、当該シンボルに対応付けられたテンプレートの再生を開始させる。そして、変換候補選択カーソルが当該シンボルから外されると、メール本文編集制御部３６が、当該シンボルに対応付けられたテンプレートの再生を終了する。【選択図】  図７
2011022626.tif 000002
【特許請求の範囲】
【請求項１】
１以上の文字からなる文字列を他の文字列又はテンプレートへ変換する文書作成装置であって、
作成中の文書が表示される第１表示領域と、前記第１表示領域とは異なる領域であり、前記作成中の文書における文字列の変換候補が表示される第２表示領域とに分けて画面表示が行われる表示部と；
カーソルの操作及び文字列の入力が行われる操作部と；
前記操作部に入力される文字列と、前記入力される文字列に関連する文字列とが対応付けられて記憶された第１記憶部と；
前記操作部に入力される文字列と、前記入力される文字列に関連するテンプレートとが対応付けられて記憶された第２記憶部と；
前記操作部に文字列が入力された場合に、前記第１記憶部内の前記入力された文字列に対応する文字列と、前記第２記憶部内の前記入力された文字列に対応するテンプレートとを呼び出し、前記呼び出された文字列及びテンプレートのシンボルを前記入力された文字列に対する変換候補として、前記第２表示領域にリスト形式で表示させる表示制御部と；
前記呼び出された文字列及びテンプレートのシンボルが、前記入力された文字列に対する変換候補として、前記第２表示領域に表示されている状態で、前記操作部を利用して前記第２表示領域中にあるカーソルが前記テンプレートのシンボルに合わされた場合に、当該シンボルに対応付けられたテンプレートである対応テンプレートの再生を開始し、前記操作部を利用して前記第２表示領域中にあるカーソルが前記テンプレートのシンボルから外された場合に、前記対応テンプレートの再生を終了する再生制御部と；
を備えることを特徴とする文書作成装置。
【請求項２】
前記対応テンプレートは、前記表示部に表示可能なテンプレートであり、
前記対応テンプレートの再生は、前記対応テンプレートの前記第１表示領域への表示である、
ことを特徴とする請求項１に記載の文書作成装置。
【請求項３】
前記再生制御部は、前記第２表示領域中にあるカーソルが前記テンプレートのシンボルに合わされている状態で、前記操作部に変換決定が入力された後には、新たな対応テンプレートの再生が必要となるまで、前記対応テンプレートの再生を維持する、ことを特徴とする請求項２に記載の文書作成装置。
【請求項４】
前記対応テンプレートへの変換が決定した場合に、前記対応テンプレートへの変換前において変換が決定していない文字列を、新たな変換が決定していない文字列として、前記対応テンプレートの編集に受け継ぐテンプレート編集部を更に備える、ことを特徴とする請求項２又は３に記載の文書作成装置。
【請求項５】
前記テンプレート編集部は、前記対応テンプレートへの変換前において変換が決定していた変換後の文字列を、前記対応テンプレートに関する編集において変換が決定した変換後の文字列として受け継ぐ、ことを特徴とする請求項４に記載の文書作成装置。
【請求項６】
作成中の文書が表示される第１表示領域と、前記第１表示領域とは異なる領域であり、前記作成中の文書における文字列の変換候補が表示される第２表示領域とに分けて画面表示を行う表示部と；カーソルの操作及び文字列の入力が行われる操作部と；前記操作部に入力される文字列と、前記入力される文字列に関連する文字列とが対応付けられて記憶される第１記憶部と；前記操作部に入力される文字列と、前記入力される文字列に関連するテンプレートとが対応付けられて記憶される第２記憶部と；プログラムを実行可能な演算処理部と；を備え、１以上の文字からなる文字列を他の文字列又はテンプレートへ変換する文書作成装置で実行される文書作成支援プログラムであって、
前記操作部に文字列が入力された場合に、前記第１記憶部内の前記入力された文字列に対応する文字列と、前記第２記憶部内の前記入力された文字列に対応するテンプレートとを呼び出し、前記呼び出された文字列及びテンプレートのシンボルを前記入力された文字列に対する変換候補として、前記第２表示領域にリスト形式で表示させる表示制御手順と；
前記呼び出された文字列及びテンプレートのシンボルが、前記入力された文字列に対する変換候補として、前記第２表示領域に表示されている状態で、前記操作部を利用して前記第２表示領域中にあるカーソルが前記テンプレートのシンボルに合わされた場合に、当該シンボルに対応付けられたテンプレートである対応テンプレートの再生を開始し、前記操作部を利用して前記第２表示領域中にあるカーソルが前記テンプレートのシンボルから外された場合に、前記対応テンプレートの再生を終了する再生制御手順と；
を前記演算処理部に実行させることを特徴とする文書作成支援プログラム。
【発明の詳細な説明】
【技術分野】
【０００１】
本発明は、文書作成装置及び文書作成支援プログラムに係り、より詳しくは、１以上の文字からなる文字列を他の文字列又はテンプレートへ変換しつつ行われる文書作成の機能を有する文書作成装置、及び、当該文書作成装置で実行される文書作成支援プログラムに関するものである。
【背景技術】
【０００２】
従来から、携帯電話装置やパーソナルコンピュータ等を利用して、電子メールの本文等の文書が作成されている。こうした文書の作成に際して、例えば、ＨＴＭＬ（HyperText Markup Language）により記述されたテンプレートを利用することにより、作成者の趣味感に適合した表現形式の文書を簡易に作成することができる。
【０００３】
かかるテンプレートを利用して電子メールの本文を作成する技術が提案されている（特許文献１参照：以下、「従来例」という）。この従来例の技術では、テンプレートの使用を前提とせずに開始した電子メールの本文の作成中に、操作部に入力された文字列の変換候補の一つとして、当該入力した文字列に対応付けられて登録されているテンプレートを表示する。そして、当該テンプレートへの変換が選択されると、当該テンプレートが表示された後に、当該テンプレートの編集を開始するようになっている。
【先行技術文献】
【特許文献】
【０００４】
【特許文献１】特開２００９−９２６２号公報
【発明の概要】
【発明が解決しようとする課題】
【０００５】
上述した従来例の技術は、テンプレートの使用を前提とせずに開始した電子メールの本文の作成中に、テンプレートの編集へスムーズに移行できるという観点からは優れた技術である。しかしながら、従来例の技術では、入力した文字列から特定のテンプレートへの変換が選択された後に当該特定のテンプレートが表示されるので、効率の良いテンプレートの利用を行うためには、利用される可能性がある個々のテンプレートの内容を、電子メールの作成者が覚えていることが必要であった。このため、利用される可能性があるテンプレートの数が多くなると、効率の良いテンプレートの利用を行うことが困難となる状況が発生することになってしまう。
【０００６】
また、従来例の技術では、一つの文書の作成中に、一度選択したテンプレートを別のテンプレートに変更しようとする場合には、選択中のテンプレートの削除操作を行った後に、改めて別のテンプレートを選択することが必要となっている（特許文献１の図３参照）。このため、一つの文書の作成中におけるテンプレートの変更をスムーズにできるとは言い難かった。
【０００７】
本発明は、上記の事情を鑑みてなされたものであり、文書作成の際における利用者の利便性を向上させることができる文書作成装置及び文書作成支援プログラムを提供することを目的とする。
【課題を解決するための手段】
【０００８】
本発明は、第１の観点からすると、１以上の文字からなる文字列を他の文字列又はテンプレートへ変換する文書作成装置であって、作成中の文書が表示される第１表示領域と、前記第１表示領域とは異なる領域であり、前記作成中の文書における文字列の変換候補が表示される第２表示領域とに分けて画面表示が行われる表示部と；カーソルの操作及び文字列の入力が行われる操作部と；前記操作部に入力される文字列と、前記入力される文字列に関連する文字列とが対応付けられて記憶された第１記憶部と；前記操作部に入力される文字列と、前記入力される文字列に関連するテンプレートとが対応付けられて記憶された第２記憶部と；前記操作部に文字列が入力された場合に、前記第１記憶部内の前記入力された文字列に対応する文字列と、前記第２記憶部内の前記入力された文字列に対応するテンプレートとを呼び出し、前記呼び出された文字列及びテンプレートのシンボルを前記入力された文字列に対する変換候補として、前記第２表示領域にリスト形式で表示させる表示制御部と；前記呼び出された文字列及びテンプレートのシンボルが、前記入力された文字列に対する変換候補として、前記第２表示領域に表示されている状態で、前記操作部を利用して前記第２表示領域中にあるカーソルが前記テンプレートのシンボルに合わされた場合に、当該シンボルに対応付けられたテンプレートである対応テンプレートの再生を開始し、前記操作部を利用して前記第２表示領域中にあるカーソルが前記テンプレートのシンボルから外された場合に、前記対応テンプレートの再生を終了する再生制御部と；を備えることを特徴とする文書作成装置である。
【０００９】
この文書作成装置では、操作部に文字列が入力された場合に、表示制御部が、第１記憶部内の当該入力された文字列に対応する文字列と、第２記憶部内の当該入力された文字列に対応するテンプレートとを呼び出す。引き続き、表示制御部が、呼び出された文字列及びテンプレートのシンボルを当該入力された文字列に対する変換候補として、表示部の表示画面における第２表示領域にリスト形式で表示させる。
こうして第２表示領域に変換候補が表示されている状態で、操作部を利用して当該第２表示領域中にあるカーソルがテンプレートのシンボルに合わされると、再生制御部が、当該シンボルに対応付けられたテンプレートである対応テンプレートの再生を開始する。そして、操作部を利用してカーソルが当該シンボルから外されると、再生制御部が、当該対応テンプレートの再生を終了する。
【００１０】
このため、当該第２表示領域に表示された変換候補の１つであるテンプレートのシンボルにカーソルを合わせることで、利用者は、当該テンプレートへの変換を選択する前に、対応テンプレートの内容を確認することができる。したがって、本発明の文書作成装置によれば、利用者が個々のテンプレートの内容を覚えていなくとも、適切なテンプレートを容易に選択することができるので、文書作成の際における利用者の利便性を向上させることができる。
【００１１】
本発明の文書作成装置では、前記対応テンプレートを、前記表示部に表示可能なテンプレートとするとともに、前記対応テンプレートの再生を、前記対応テンプレートの前記第１表示領域への表示とすることができる。この場合には、操作部を利用して第２表示領域中にあるカーソルがテンプレートのシンボルに合わされると、再生制御部が、当該シンボルに対応付けられたテンプレートである対応テンプレートのプレビュー表示を開始する。そして、操作部を利用してカーソルが当該シンボルから外されると、再生制御部が、当該対応テンプレートのプレビュー表示を終了する。このため、利用者が個々のテンプレートによる表示内容を覚えていなくとも、適切なテンプレートを容易に選択することができる。
【００１２】
ここで、前記再生制御部が、前記第２表示領域中にあるカーソルが前記テンプレートのシンボルに合わされている状態で、前記操作部に変換決定が入力された後には、新たな対応テンプレートの再生が必要となるまで、前記対応テンプレートの再生を維持するようにすることができる。この場合には、第２表示領域中にあるカーソルがテンプレートのシンボルに合わされ、対応テンプレートのプレビュー表示がされている状態で、操作部に変換決定が入力されると、再生制御部が、新たな対応テンプレートの再生が必要となるまで、対応テンプレートの再生を維持する。このため、プレビュー表示中の対応テンプレートへの変換が決定した後は、対応テンプレートの表示が、新たな対応テンプレートの再生が必要となるまでの期間にわたって維持される。この結果、利用者は、第１表示領域における対応テンプレートの表示を見ながら、当該対応テンプレートの編集を行うことができる。
【００１３】
ここで、「新たな対応テンプレートの再生が必要となる」場合としては、当該対応テンプレートの編集中における入力文字列の変換に際して新たな対応テンプレートのプレビュー表示を行うことが必要になった場合等が挙げられる。なお、対応テンプレートの編集中に、当該対応テンプレートの削除指令が操作部に入力された場合には、再生制御部による当該対応テンプレートの再生が終了することは勿論である。
【００１４】
また、前記対応テンプレートへの変換が決定した場合に、前記対応テンプレートへの変換前において変換が決定していない文字列を、新たな変換が決定していない文字列として、前記対応テンプレートの編集に受け継ぐテンプレート編集部を更に備えるようにすることができる。この場合には、操作部に変換決定が入力されて対応テンプレートの選択が行われ、当該対応テンプレートの編集が開始された場合に、当該対応テンプレートに関する編集を行うテンプレート編集部が、当該対応テンプレートへの変換決定前において変換が決定していない文字列を、当該対応テンプレートの編集において新たな変換が決定していない文字列として受け継ぐ。このため、対応テンプレートの選択の基礎となった文字列を、対応テンプレートに対する文字列入力による編集に再利用できるので、操作部への同一文字列の重複入力を防止することができる。
【００１５】
上記のテンプレート編集部を備える場合には、前記テンプレート編集部が、前記対応テンプレートへの変換前において変換が決定していた変換後の文字列を、前記対応テンプレートに関する編集において変換が決定した変換後の文字列として受け継ぐようにすることができる。この場合には、対応テンプレートの編集が開始された場合に、テンプレート編集部が、当該対応テンプレートへの変換決定前において変換が決定していた文字列を、当該対応テンプレートの編集において変換が決定した文字列として受け継ぐ。このため、対応テンプレートの選択前に変換が決定していた文字列も、対応テンプレートに対する文字列入力による編集に再利用できるので、操作部への同一文字列の重複入力を更に防止することができる。
【００１６】
本発明は、第２の観点からすると、作成中の文書が表示される第１表示領域と、前記第１表示領域とは異なる領域であり、前記作成中の文書における文字列の変換候補が表示される第２表示領域とに分けて画面表示を行う表示部と；カーソルの操作及び文字列の入力が行われる操作部と；前記操作部に入力される文字列と、前記入力される文字列に関連する文字列とが対応付けられて記憶される第１記憶部と；前記操作部に入力される文字列と、前記入力される文字列に関連するテンプレートとが対応付けられて記憶される第２記憶部と；プログラムを実行可能な演算処理部と；を備え、１以上の文字からなる文字列を他の文字列又はテンプレートへ変換する文書作成装置で実行される文書作成支援プログラムであって、前記操作部に文字列が入力された場合に、前記第１記憶部内の前記入力された文字列に対応する文字列と、前記第２記憶部内の前記入力された文字列に対応するテンプレートとを呼び出し、前記呼び出された文字列及びテンプレートのシンボルを前記入力された文字列に対する変換候補として、前記第２表示領域にリスト形式で表示させる表示制御手順と；前記呼び出された文字列及びテンプレートのシンボルが、前記入力された文字列に対する変換候補として、前記第２表示領域に表示されている状態で、前記操作部を利用して前記第２表示領域中にあるカーソルが前記テンプレートのシンボルに合わされた場合に、当該シンボルに対応付けられたテンプレートである対応テンプレートの再生を開始し、前記操作部を利用して前記第２表示領域中にあるカーソルが前記テンプレートのシンボルから外された場合に、前記対応テンプレートの再生を終了する再生制御手順と；を前記演算処理部に実行させることを特徴とする文書作成支援プログラムである。
【００１７】
この文書作成支援プログラムの演算処理部による実行中に、操作部に文字列が入力されると、表示制御手順が実行されて、第１記憶部内の当該入力された文字列に対応する文字列と、第２記憶部内の当該入力された文字列に対応するテンプレートとが呼び出された後、呼び出された文字列及びテンプレートのシンボルを当該入力された文字列に対する変換候補として、表示部の表示画面における第２表示領域にリスト形式で表示される。
こうして第２表示領域に変換候補が表示されている状態で、操作部を利用して当該第２表示領域中にあるカーソルがテンプレートのシンボルに合わされると、再生制御手順が実行されて、当該シンボルに対応付けられたテンプレートである対応テンプレートの再生を開始される。一方、操作部を利用してカーソルが当該シンボルから外されると、再生制御手順の実行により、当該対応テンプレートの再生を終了する。
【００１８】
すなわち、文書作成装置の演算処理部に本発明の文書作成支援プログラムを実行させることにより、本発明の文書作成装置を実現することができる。
【発明の効果】
【００１９】
以上説明したように、本発明の文書作成装置及び文書作成支援プログラムによれば、文書作成の際における利用者の利便性を向上させることができる。
【図面の簡単な説明】
【００２０】
【図１】本発明の一実施形態に係る文書作成装置である携帯電話装置の外観を示す概略図である。
【図２】図１の携帯電話装置の内部構成を示すブロック図である。
【図３】図２における関連文字列記憶部における記憶内容を説明するための図である。
【図４】図２における関連テンプレート記憶部における記憶内容を説明するための図である。
【図５】図４に示される変換候補テンプレートＴＤＣＱ及びそのシンボルＳＤＣＱの内容を説明するための図である。
【図６】図４に示される変換候補テンプレートＴＣＣＲ及びそのシンボルＳＣＣＲの内容を説明するための図である。
【図７】図２における電子メール作成部の構成を説明するための図である。
【図８】メール本文作成時における表示部の表示画面における領域割付を説明するための図である。
【図９】図１の携帯電話装置におけるメール本文の作成処理を説明するためのフローチャートである。
【図１０】図９の変換前文字列の変更処理を説明するためのフローチャートである。
【図１１】図９の変換候補選択カーソルの移動処理を説明するためのフローチャートである。
【図１２】図９の変換決定処理を説明するためのフローチャートである。
【図１３】図１の携帯電話装置におけるメール本文の作成処理において表示される画面表示の遷移例を説明するための図（その１）である。
【図１４】図１の携帯電話装置におけるメール本文の作成処理において表示される画面表示の遷移例を説明するための図（その２）である。
【図１５】図１の携帯電話装置におけるメール本文の作成処理において表示される画面表示の遷移例を説明するための図（その３）である。
【図１６】図１の携帯電話装置におけるメール本文の作成処理において表示される画面表示の遷移例を説明するための図（その４）である。
【図１７】図１の携帯電話装置におけるメール本文の作成処理において表示される画面表示の遷移例を説明するための図（その５）である。
【発明を実施するための形態】
【００２１】
以下、本発明の一実施形態を、図１〜図１７を参照しつつ説明する。なお、これらの図においては、同一又は同等の要素には同一の符号を付し、重複する説明を省略する。
【００２２】
［構成］
図１には、一実施形態に係る文書作成装置である携帯電話装置１０の外観構成が概略的に示されている。ここで、図１（Ａ）には、携帯電話装置１０の外観の正面図が示され、図１（Ｂ）には、携帯電話装置１０の外観の背面図が示されている。
【００２３】
図１（Ａ）及び図１（Ｂ）により総合的に示されるように、携帯電話装置１０は、携帯電話本体１１と、操作部１２と、表示部１３とを備えている。また、携帯電話装置１０は、通話用スピーカ１４と、マイクロフォン１５と、案内用スピーカ１６と、アンテナ１７とを備えている。
携帯電話本体１１は、シャーシ内部に、携帯電話装置１０の機能を発揮させるための制御部２９（図２参照）等を含んでいる。この携帯電話本体１１については、後述する。
操作部１２には、電話番号、文字等を入力するためのテンキー、及び、動作モードの切換、表示部１３の表示画面における各種カーソルを移動等の指令を入力するためのファンクションキーが配列されている。なお、本実施形態では、各種カーソルを移動等の指令を入力するためのファンクションキーとしては、各種カーソルを上下左右に移動させるための「↑」キー、「↓」キー、「←」キー、及び、「→」キーが用意されている。操作部１２を利用したキー入力の結果は、キー入力データとして、制御部２９へ送られる。
表示部１３は、例えば、液晶パネル等の表示デバイスを備えて構成されている。表示部１３の表示画面には、制御部２９による制御に従って、操作案内、動作状況、電子メール関連の各種情報等が表示される。
【００２４】
通話用スピーカ１４は、制御部２９による制御に従って、通話時に通信相手から送られてきた音声信号を再生する。マイクロフォン１５は、収音時に音を入力したり、通話時に音声を入力したりする。マイクロフォン１５に入力された音声情報は、制御部２９へ送られる。
案内用スピーカ１６は、制御部２９による制御に従って、着信音や案内音を発生する。アンテナ１７は、基地局との間で無線信号の授受を行う。
【００２５】
上記の携帯電話本体１１内は、図２に示されるように、その内部に、送受信部２２と、記憶部２３と、制御部２９とを備えている。
送受信部２２は、制御部２９による制御に従って、アンテナ１７を介して、基地局との間で通信を行う。
【００２６】
記憶部２３には、様々な情報のデータが記憶される。この記憶部２３には、第１記憶部としての関連文字列記憶部２４Ｃと、第２記憶部としての関連テンプレート記憶部２４Ｔと、作業データ記憶部２４Ｗとが含まれている。
【００２７】
関連文字列記憶部２４Ｃには、図３に示されるように、直接変換文字列データベースＤＣＴと、継続変換文字列データベースＣＣＴとが記憶されている。
直接変換文字列データベースＤＣＴには、直接変換対象文字列（変換前文字列）と、当該直接変換対象文字列に音訓の読み方や意味内容から関連がある変換候補文字列とが対応付けられるように登録されている。
なお、図３には、直接変換対象文字列としての「おたん」と、「おたん」に関連のある変換候補文字列として「おたん」、「お誕生日」、…と関連付けられている例が、代表的に示されている。
【００２８】
継続変換文字列データベースＣＣＴは、継続変換対象文字列（変換直後の文字列）と、当該継続変換対象文字列に意味的に引き続くという観点から関連がある変換候補文字列とが対応付けられるように登録されている。
なお、図３には、継続変換対象文字列としての「お誕生日」と、「お誕生日」に関連のある変換候補文字列として「おめでとう」、「でした」、…と関連付けられている例が、代表的に示されている。
【００２９】
関連テンプレート記憶部２４Ｔには、図４に示されるように、直接変換テンプレートデータベースＤＴＴと、継続変換テンプレートデータベースＣＴＴとが記憶されている。
直接変換テンプレートデータベースＤＴＴには、直接変換対象文字列（変換前文字列）と、当該直接変換対象文字列に意味的な観点から関連がある変換候補テンプレート及びそのシンボルとが対応付けられるように登録されている。
なお、図４には、直接変換対象文字列としての「おたん」と、「おたん」に関連のある変換候補テンプレートＴＤＣＱ、及び、テンプレートシンボルＳＤＣＱとが関連付けられている例が、代表的に示されている。そして、テンプレートＴＤＣＱの内容の例が図５（Ａ）に示され、テンプレートシンボルＳＤＣＱの例が図５（Ｂ）に示されている。
【００３０】
図４に戻り、継続変換テンプレートデータベースＣＴＴは、継続変換対象文字列（変換直後の文字列）と、当該継続変換対象文字列に意味的に引き続くという観点から関連がある変換候補テンプレート及びそのシンボルとが対応付けられるように登録されている。
なお、図４には、継続変換対象文字列としての「お誕生日」と、「お誕生日」に関連のある変換候補テンプレートＴＣＣＲ、及び、テンプレートシンボルＳＣＣＲとが関連付けられている例が、代表的に示されている。そして、テンプレートＴＣＣＲの内容の例が図６（Ａ）に示され、テンプレートシンボルＳＣＣＲの例が図６（Ｂ）に示されている。
【００３１】
図２に戻り、作業データ記憶部２４Ｗは、制御部２９の処理における作業データや、各種バッファリングデータを記憶する。例えば、作業データ記憶部２４Ｗには、後述するメール本文作成支援処理における画面表示情報データ等が記憶される。
【００３２】
制御部２９は、携帯電話装置１０における一般的な携帯電話機能を実現するために、様々な処理を行うとともに、上述した他の構成要素の動作制御を行うようになっている。この制御部２９は、電子メール作成部３１を備えている。
電子メール作成部３１は、利用者による操作部１２へのキー入力に従って、送信メールを作成する。かかる機能を有する電子メール作成部３１は、図７に示されるように、メール本文作成支援部３２を備えている。
【００３３】
メール本文作成支援部３２は、利用者による送信メールのメール本文の作成を支援する。かかる機能を有するメール本文作成支援部３２は、再生制御部の一部及びテンプレート編集部としてのメール本文編集制御部３６と、表示制御部としての変換候補表示制御部３７と、再生制御部の一部としてのテンプレート再生部３８とを備えている。
なお、メール本文作成処理時には、表示部１３の表示画面は、図８に示されるように、作成中の文書が表示される第１表示領域としての表示領域１３Ｆと、作成中の文書における文字列の変換候補が表示される第２表示領域としての表示領域１３Ｓが確保されるようになっている。
【００３４】
図７に戻り、メール本文編集制御部３６は、操作部１２からのキー入力データを受ける。キー入力が変換前文字列の変更であった場合には、メール本文編集制御部３６は、当該変換前文字列の変更の表示領域１３Ｆへの表示を制御するとともに、作業データ記憶部２４Ｗ内の作成中文書情報を更新する。そして、メール本文編集制御部３６は、変換候補表示制御部３７へ、変更された変換前文字列、及び、変換前文字列である旨を第１種変換候補表示指定として発行する。
なお、変換前文字列の変更のためのキー入力としては、文字入力、バックスペース入力等がある、
【００３５】
また、キー入力が表示領域１３Ｓ内のカーソル移動指定であった場合には、表示領域１３Ｓ内のカーソル（以下、「変換候補選択カーソル」と呼ぶ）を移動させて、変換候補の選択を変更するとともに、作業データ記憶部２４Ｗ内の作成中文書情報を更新する。なお、本実施形態では、メール本文作成処理中における文字入力モードの場合には、「↑」キー及び「↓」キーが、変換候補選択カーソルの移動を指定するキーとして割り当てられるようになっている。
【００３６】
また、メール本文編集制御部３６は、変換候補選択カーソルを移動させた結果、変換候補としてテンプレートシンボルが選択された場合には、当該テンプレートシンボルに対応するテンプレートの識別情報を含む再生指定をテンプレート再生部３８へ発行する。この再生指定をテンプレート再生部３８へ発行した後、当該テンプレートへの変換が決定されないまま、変換候補選択カーソルを移動させた結果、変換候補選択カーソルが当該テンプレートシンボルから外れた場合には、メール本文編集制御部３６は、当該テンプレートの再生終了指定をテンプレート再生部３８へ発行する。一方、当該テンプレートへの変換が決定されたことに起因して、変換候補選択カーソルが、当該テンプレートシンボルから外れた場合には、メール本文編集制御部３６は、当該テンプレートの再生終了指定をテンプレート再生部３８へは発行しない。
【００３７】
なお、一のテンプレートの編集中に、変換候補選択カーソルを移動させた結果、変換候補として他のテンプレートシンボルが選択された場合には、メール本文編集制御部３６は、当該一のテンプレートの再生終了指定をテンプレート再生部３８へ送った後、当該他のテンプレートシンボルに対応するテンプレートの識別情報を含む再生指定をテンプレート再生部３８へ発行する。この後、当該他のテンプレートへの変換が決定されないまま、変換候補選択カーソルを移動させた結果、変換候補選択カーソルが当該テンプレートシンボルから外れ、変換候補文字列が変換候補として選択された場合には、メール本文編集制御部３６は、当該他のテンプレートの再生終了指定をテンプレート再生部３８へ送った後、当該一のテンプレートの再生終了指定をテンプレート再生部３８へ発行する。
【００３８】
また、メール本文編集制御部３６は、変換前文字列の文字列への変換決定が操作部１２に入力された場合には、変換候補表示制御部３７へ、変換後文字列、及び、変換後文字列である旨を第２種変換候補表示指定として発行する。そして、メール本文編集制御部３６は、当該変換後文字列の表示領域１３Ｆへの表示を制御するとともに、作業データ記憶部２４Ｗ内の作成中文書情報を更新する。
また、メール本文編集制御部３６は、変換前文字列のテンプレートへの決定が操作部１２に入力された場合には、変換決定がなされたテンプレートの編集を開始する。ここで、テンプレートの編集が開始された場合には、メール本文編集制御部３６は、当該テンプレートへの変換前における変換前文字列（すなわち、当該テンプレートへの変換が決定された文字列）を、当該テンプレートの編集における変換前文字列として受け継ぐとともに、当該テンプレートへの変換前における変換後文字列を、当該テンプレートの編集における変換後文字列として受け継ぐ。
なお、本実施形態では、メール本文作成処理中における文字入力モードの場合には、所定のファンクションキーが、変換の「決定」キーとして割り当てられるようになっている。
【００３９】
また、メール本文編集制御部３６は、上記以外のキー入力が行われた場合には、当該キー入力に対応する編集処理を行うとともに、作業データ記憶部２４Ｗ内の作成中文書情報を更新する。例えば、キー入力が「←」キー又は「→」キーの入力であった場合には、表示領域１３Ｆ内のカーソルを左右に移動させる。
【００４０】
変換候補表示制御部３７は、メール本文編集制御部３６から送られた第１種変換候補表示指定及び第２種変換候補表示指定を受ける。
第１種変換候補表示指定を受けた場合には、変換候補表示制御部３７は、第１種変換候補表示指定に含まれる変換前文字列をキーにして、関連文字列記憶部２４Ｃ内の直接変換文字列データベースＤＣＴ及び関連テンプレート記憶部２４Ｔ内の直接変換テンプレートデータベースＤＴＴを検索し、当該変換前文字列の変換候補文字列、並びに変換候補テンプレート及びそのシンボルを呼び出す。そして、変換候補表示制御部３７は、呼び出された変換候補文字列並びに変換候補テンプレート及びそのシンボルに基づいて作業データ記憶部２４Ｗ内の作成中文書情報中の変換候補情報を更新するとともに、呼び出された変換候補文字列及び変換候補テンプレートのシンボルを表示部１３の第２表示領域１３Ｓに表示させる。
また、第２種変換候補表示指定を受けた場合には、変換候補表示制御部３７は、第２種変換候補表示指定に含まれる変換後文字列をキーにして、関連文字列記憶部２４Ｃ内の継続変換文字列データベースＣＣＴ及び関連テンプレート記憶部２４Ｔ内の継続変換テンプレートデータベースＣＴＴを検索し、当該変換後文字列の変換候補文字列、並びに変換候補テンプレート及びそのシンボルを呼び出す。そして、変換候補表示制御部３７は、呼び出された変換候補文字列並びに変換候補テンプレート及びそのシンボルに基づいて作業データ記憶部２４Ｗ内の作成中文書情報中の変換候補情報を更新するとともに、呼び出された変換候補文字列及び変換候補テンプレートのシンボルを表示部１３の第２表示領域１３Ｓに表示させる。
【００４１】
テンプレート再生部３８は、メール本文編集制御部３６から送られた再生指定及び再生終了指定を受ける。
再生指定を受けた場合には、テンプレート再生部３８は、当該再生指定に含まれるテンプレートの識別子に基づいて、作業データ記憶部２４Ｗから当該テンプレートを呼び出す。そして、テンプレート再生部３８は、呼び出されたテンプレートを表示部１３の表示領域１３Ｆに表示させる。
また、再生終了指定を受けた場合には、テンプレート再生部３８は、表示中のテンプレートの表示を終了する。
【００４２】
［動作］
次に、上記のように構成された携帯電話装置１０の動作について、送信メールのメール本文の作成処理おける文字入力編集モード処理に主に着目して説明する。
【００４３】
送信メールの作成処理は、利用者が操作部１２を操作して、メール作成の指令を入力すると開始される。かかる送信メールの作成処理中に、利用者が操作部１２を操作して、メール本文作成の指令を入力すると、携帯電話装置１０では文字入力編集モード処理が開始される。なお、以下では、文字入力編集モード処理が継続するものとして説明するが、送信メールの作成処理中に、文字入力編集モード処理から他のモード処理（例えば、テンプレートの背景色、文字の大きさ、文字の色を指定するテンプレート属性編集モード処理等）との切換は、利用者が操作部１２を適宜操作することにより、任意の時点で行うことができるようになっている。
【００４４】
文字入力編集モード処理では、図９に示されるように、まず、ステップＳ１１において、メール本文編集制御部３６が、キー入力がされたか否かを判定する。この判定の結果が否定的であった（ステップＳ１１：Ｎ）場合には、ステップＳ１１の処理が繰り返される。一方、キー入力がなされ、ステップＳ１１における判定の結果が肯定的となると（ステップＳ１１：Ｙ）、処理はステップＳ１２へ進む。
【００４５】
ステップＳ１２では、メール本文編集制御部３６が、キー入力が変換前文字列の変更であるか否かを判定する。この判定の結果が肯定的であった場合（ステップＳ１２：Ｙ）には、処理はステップＳ１３へ進む。
ステップＳ１３では、変換前文字列の変更処理が行われる。この変換前文字列の変更処理では、図１０に示されるように、まず、ステップＳ２１において、メール本文編集制御部３６が、当該変換前文字列の変更の表示領域１３Ｆへの表示を制御するとともに、作業データ記憶部２４Ｗ内の作成中文書情報を更新する。引き続き、ステップＳ２２において、メール本文編集制御部３６が、変換候補表示制御部３７へ、変更された変換前文字列、及び、変換前文字列である旨を第１種変換候補表示指定として発行する。
【００４６】
メール本文編集制御部３６が発行した第１種変換候補表示指定を受けると、ステップＳ２３において、変換候補表示制御部３７が、変更された変換前文字列に対応する変換候補の表示処理を行う。かかる変換候補の表示処理に際して、変換候補表示制御部３７は、まず、第１種変換候補表示指定に含まれる変換前文字列をキーにして、関連文字列記憶部２４Ｃ内の直接変換文字列データベースＤＣＴ及び関連テンプレート記憶部２４Ｔ内の直接変換テンプレートデータベースＤＴＴを検索する。引き続き、変換候補表示制御部３７は、検索された変換前文字列の変換候補文字列、並びに変換候補テンプレート及びそのシンボルを呼び出す。そして、変換候補表示制御部３７は、呼び出された変換候補文字列並びに変換候補テンプレート及びそのシンボルに基づいて作業データ記憶部２４Ｗ内の作成中文書情報中の変換候補情報を更新するとともに、呼び出された変換候補文字列及び変換候補テンプレートのシンボルを表示部１３の第２表示領域１３Ｓに表示させる。
【００４７】
こうしてステップＳ２３の処理が終了すると、ステップＳ１３の処理が終了する。そして、処理は図９のステップＳ１１へ戻る。
【００４８】
上述したステップＳ１２における判定の結果が否定的であった場合（ステップＳ１２：Ｎ）には、処理はステップＳ１４へ進む。ステップＳ１４では、メール本文編集制御部３６が、キー入力が変換候補選択カーソルの移動指定であるか否かを判定する。この判定の結果が肯定的であった場合（ステップＳ１４：Ｙ）には、処理はステップＳ１５へ進む。
ステップＳ１５では、変換候補選択カーソルの移動処理が行われる。この変換候補選択カーソルの移動処理では、図１１に示されるように、まず、ステップＳ３１において、メール本文編集制御部３６が、表示領域１３Ｓ内において、変換候補選択カーソルを移動させて、変換候補の選択を変更するとともに、作業データ記憶部２４Ｗ内の作成中文書情報を更新する。
【００４９】
次に、ステップＳ３２において、メール本文編集制御部３６が、新たな変換候補がテンプレートであるか否かを判定する。この判定の結果が否定的であった場合（ステップＳ３２：Ｎ）には、処理はステップＳ３３へ進む。
ステップＳ３３では、メール本文編集制御部３６が、テンプレートを再生中か否かを判定する。この判定の結果が否定的であった場合（ステップＳ３３：Ｎ）には、後述するステップＳ３７へ進む。一方、ステップＳ３３における判定の結果が肯定的であった場合（ステップＳ３３：Ｙ）には、処理はステップＳ３４へ進む。
ステップＳ３４では、メール本文編集制御部３６が、再生中テンプレートを編集中か否かを判定する。この判定の結果が否定的であった場合（ステップＳ３４：Ｎ）には、処理はステップＳ３５へ進む。
【００５０】
ステップＳ３５では、メール本文編集制御部３６が、再生中テンプレートに関する再生終了指定をテンプレート再生部３８へ発行する。この結果が、テンプレート再生が終了する。そして、処理は、後述するステップＳ３７へ進む。
上述のステップＳ３４における判定の結果が肯定的であった場合（ステップＳ３４：Ｙ）には、ステップＳ３６へ進む。このステップＳ３６では、メール本文編集制御部３６の主導により、再生テンプレートの切換が行われる。かかる再生テンプレートの切換に際して、メール本文編集制御部３６は、再生中テンプレートに関する再生終了指定をテンプレート再生部３８へ発行した後、編集中テンプレートに関する再生指定をテンプレート再生部３８へ発行する。そして、処理はステップＳ３７へ進む。
【００５１】
ステップＳ３７では、メール本文編集制御部３６が、新たな変換候補である文字列を、新たな変換前文字列として表示させる。この後、ステップＳ１５の処理が終了する。
【００５２】
上述したステップＳ３２における判定の結果が肯定的であった場合（ステップＳ３２：Ｙ）には、処理はステップＳ３８へ進む。ステップＳ３８では、メール本文編集制御部３６が、テンプレートを表示中か否かを判定する。この判定の結果が肯定的であった場合（ステップＳ３８：Ｙ）には、処理はステップＳ３９へ進む。
【００５３】
ステップＳ３９では、メール本文編集制御部３６が、再生中のテンプレートに関する再生終了指定をテンプレート再生部３８へ発行する。この結果が、テンプレート再生が終了する。そして、処理はステップＳ４０へ進む。
上述のステップＳ３８における判定の結果が否定的であった場合（ステップＳ３８：Ｎ）には、ステップＳ３９の処理を実行することなく、処理はステップＳ４０へ進む。
【００５４】
ステップＳ４０では、メール本文編集制御部３６が、新たな変換候補テンプレートの識別情報を含む再生指定をテンプレート再生部３８へ発行する。この再生指定を受けたテンプレート再生部３８は、ステップＳ４１において、当該再生指定に含まれるテンプレートの識別子に基づいて、作業データ記憶部２４Ｗから当該テンプレートを呼び出す。そして、テンプレート再生部３８は、呼び出されたテンプレートを表示部１３の表示領域１３Ｆに表示させる。この後、ステップＳ１５の処理が終了する。
こうしてステップＳ３７又はステップＳ４１の実行後にステップＳ１５の処理が終了すると、処理は図９のステップＳ１１へ戻る。
【００５５】
上述したステップＳ１４における判定の結果が否定的であった場合（ステップＳ１４：Ｎ）には、処理はステップＳ１６へ進む。ステップＳ１６では、メール本文編集制御部３６が、キー入力が変換決定であるか否かを判定する。この判定の結果が肯定的であった場合（ステップＳ１６：Ｙ）には、処理はステップＳ１７へ進む。
ステップＳ１７では、変換決定処理が行われる。この変換決定処理では、図１２に示されるように、まず、ステップＳ５１において、テンプレートへの変換決定であるか否かを判定する。この判定の結果が否定的であった場合（ステップＳ５１：Ｎ）には、処理はステップＳ５２へ進む。ステップＳ５２では、メール本文編集制御部３６が、決定された変換後文字列を表示領域１３Ｆに表示させるとともに、作業データ記憶部２４Ｗ内の作成中文書情報を更新する。そして、処理は、後述するステップＳ５８へ進む。
【００５６】
上述したステップＳ５１における判定の結果が肯定的であった場合（ステップＳ５１：Ｙ）には、処理はステップＳ５３へ進む。ステップＳ５３では、メール本文編集制御部３６が、テンプレート編集中か否かを判定する。この判定の結果が否定的であった場合（ステップＳ５３：Ｎ）には、処理は、後述するステップＳ５７へ進む。
ステップＳ５３における判定の結果が肯定的であった場合（ステップＳ５３：Ｙ）には、処理はステップＳ５４へ進む。ステップＳ５４では、メール本文編集制御部３６が、編集中のテンプレートの装飾内容が、テンプレート属性編集モード処理により、当初の装飾内容から変更されているか否かを判定する。この判定の結果が否定的であった場合（ステップＳ５４：Ｎ）には、処理はステップＳ５７へ進む。
【００５７】
ステップＳ５４における判定の結果が肯定的であった場合（ステップＳ５４：Ｙ）には、処理はステップＳ５５へ進む。ステップＳ５５では、メール本文編集制御部３６が、テンプレート変更確認画面を表示部１３に表示させる。
引き続き、ステップＳ５６において、メール本文編集制御部３６が、利用者による操作部１２のキー操作により、テンプレートを変更することが確認されたか、又は、テンプレートを変更しないことが確認されたかを判定する。ステップＳ５６において、テンプレートを変更しないことが確認された場合（ステップＳ５６：Ｎ）には、テンプレート変更確認画面の表示前の画面表示状態に戻された後に、ステップＳ１７の処理が終了する。
【００５８】
一方、ステップＳ５６において、テンプレートを変更することが確認された場合（ステップＳ５６：Ｙ）には、テンプレート変更確認画面の表示前の画面表示状態に戻された後に、処理はステップＳ５７へ進む。なお、上述したように、ステップＳ５３又はステップＳ５４における判定の結果が否定的であった場合（ステップＳ５３：Ｎ、又は、ステップＳ５４：Ｎ）にも、処理はステップＳ５７へ進む。
ステップＳ５７では、メール本文編集制御部３６が、変換決定前の文字列を受け継ぐ。ここで、メール本文編集制御部３６は、変換決定前における変換前文字列を、当該テンプレートの編集における変換前文字列として受け継ぐとともに、当該変換決定前における変換後文字列を、当該テンプレートの編集における変換後文字列として受け継ぐ。そして、処理はステップＳ５８へ進む。
【００５９】
ステップＳ５２又はステップＳ５７の終了後に進んだステップＳ５８では、メール本文編集制御部３６が、変換候補表示制御部３７へ、新たな変換後文字列に関する第２種変換候補表示指定を発行する。そして、メール本文編集制御部３６は、作業データ記憶部２４Ｗ内の作成中文書情報を更新する。
第２種変換候補表示指定を受けた変換候補表示制御部３７は、ステップＳ５９において、変換候補表示制御部３７が、変換後文字列に対応する継続変換の変換候補の表示処理を行う。この継続変換の変換候補の表示処理に際して、変換候補表示制御部３７は、まず、第２種変換候補表示指定に含まれる変換後文字列をキーにして、関連文字列記憶部２４Ｃ内の継続変換文字列データベースＣＣＴ及び関連テンプレート記憶部２４Ｔ内の継続変換テンプレートデータベースＣＴＴを検索する。引き続き、変換候補表示制御部３７は、検索された変換後文字列の変換候補文字列、並びに変換候補テンプレート及びそのシンボルを呼び出す。そして、変換候補表示制御部３７は、呼び出された変換候補文字列並びに変換候補テンプレート及びそのシンボルに基づいて作業データ記憶部２４Ｗ内の作成中文書情報中の変換候補情報を更新するとともに、呼び出された変換候補文字列及び変換候補テンプレートのシンボルを表示部１３の第２表示領域１３Ｓに表示させる。この後、ステップＳ１７の処理が終了する。
こうしてステップＳ１７の処理が終了すると、処理は図９のステップＳ１１へ戻る。
【００６０】
上述したステップＳ１６における判定の結果が否定的であった場合（ステップＳ１６：Ｎ）には、処理はステップＳ１８へ進む。ステップＳ１８では、メール本文編集制御部３６が、上記のキー入力に対応する編集処理を行うとともに、作業データ記憶部２４Ｗ内の作成中文書情報を更新する。例えば、キー入力が「←」キー又は「→」キーの入力であった場合には、表示領域１３Ｆ内のカーソルを左右に移動させるとともに、作業データ記憶部２４Ｗ内の作成中文書情報を更新する。そして、処理はステップＳ１１へ戻る。
【００６１】
以後、上記のステップＳ１１〜Ｓ１８が繰り返されて、メール本文作成における文字入力編集が行われる。こうした文字入力編集と前後して、テンプレート利用する場合には、テンプレートの背景色、文字の大きさ、文字の色を指定するテンプレート属性編集モード処理等が実行されて、メール本文作成が行われる。
そして、メール本文作成と前後して、送信先指定、送信元指定、標題指定等が行われて、送信メールが作成される。こうして作成された送信メールが、送受信部２２を介して、基地局へ送信される。
【００６２】
＜文字入力編集モード処理における画面遷移の一具体例＞
次に、上述した文字入力編集モード処理における画面遷移の一具体例について説明する。
【００６３】
なお、当初においては、図１３（Ａ）に示されるように、テンプレートを利用しない状態で、変換前文字列「おたん」が入力されて、表示領域１３Ｆに表示されているものとする。また、変換前文字列「おたん」に直接的に関連する変換候補「お誕生日」、「お誕生」、…が、表示領域１３Ｓに表示されているが、いずれの変化候補も選択されていないものとする。
また、図１３〜図１６においては、表示領域１３Ｆにおける変換前文字は、白抜き文字で表わされるものとする。また、図１３〜図１６においては、表示領域１３Ｓにおける選択中の変換候補も、白抜き文字で表わされるものとする。
【００６４】
図１３（Ａ）に示される表示画面の表示後に「↓」キーが４回押下されると、表示領域１３Ｓにおいては、変換候補「お誕生日会」が選択されるとともに、表示領域１３Ｆにおいては、変換候補「お誕生日会」と同一の変換前文字「お誕生日会」が表示される。この
表示画面が、図１３（Ｂ）に示されている。
図１３（Ｂ）に示される表示画面の表示後に「↓」キーが１回押下されると、表示領域１３Ｓにおいては、変換候補「＊お誕生日おめでとう（シンボルＳＤＣＱ：図５（Ｂ）参照）」が選択される。また、表示領域１３Ｆにおいては、「＊お誕生日おめでとう」のシンボルＳＤＣＱに対応するテンプレートＴＤＣＱ（図５（Ａ）参照）が表示される。この表示画面が、図１３（Ｃ）に示されている。
【００６５】
図１３（Ｃ）に示される表示画面の表示後に「↓」キーが１回押下されると、表示領域１３Ｓにおいては、変換候補「おたん」が選択される。また、表示領域１３Ｆにおいては、「おたん」が変換前文字列として表示される。この表示画面が、図１３（Ｄ）に示されている。
【００６６】
図１３（Ｃ）を再掲する図１４（Ａ）に示される表示画面の表示時に「決定」キーが押下されると、表示領域１３Ｆにおける表示は、テンプレートＴＤＣＱと、変換前文字列として受け継がれた変換前文字列「おたん」がテンプレートＴＤＣＱに重ねて表示されるテンプレート編集表示となる。そして、表示領域１３Ｓにおいては、変換前文字列「おたん」に関連する変換候補「お誕生日」、「お誕生」、…が、表示領域１３Ｓに表示されているが、いずれの変化候補も選択されていない状態となる。この表示画面が、図１４（Ｂ）に示されている。
【００６７】
図１４（Ｂ）に示される表示画面の表示後に「↓」キーが１回押下されると、表示領域１３Ｓにおいては、変換候補「お誕生日」が選択される。また、表示領域１３Ｆにおいては、テンプレートＴＤＣＱと、変換前文字列として受け継がれた変換前文字列「お誕生日」がテンプレートＴＤＣＱに重ねて表示される。この表示画面が、図１４（Ｃ）に示されている。
図１４（Ｃ）に示される表示画面の表示時に「決定」キーが押下されると、表示領域１３Ｆは、変換後文字列「お誕生日」が、テンプレートＴＤＣＱ内に表示され、変換前文字が無くなる状態となる。また、表示領域１３Ｓにおいては、変換後文字列「お誕生日」に継続するものとして関連する「おめでとう」、「＊おめでとう（シンボルＳＣＣＲ：図６（Ｂ）参照）」、…が表示されるが、いずれの変化候補も選択されていない状態となる。この表示画面が、図１４（Ｄ）に示されている。
【００６８】
図１４（Ｄ）を再掲する図１５（Ａ）に示される表示画面の表示後に、「↓」キーが１回押下されると、表示領域１３Ｓにおいては、変換候補「おめでとう」が選択される。また、表示領域１３Ｆにおいては、テンプレートＴＤＣＱと、変換前文字列「おめでとう」がテンプレートＴＤＣＱに重ねて表示される。この表示画面が、図１５（Ｂ）に示されている。
【００６９】
図１５（Ｂ）に示される表示画面の表示後に「↓」キーが１回押下されると、表示領域１３Ｓにおいては、変換候補「＊おめでとう」が選択される。また、表示領域１３Ｆにおいては、シンボルＳＣＣＲに対応するテンプレートＴＣＣＲ（図６（Ａ）参照）が表示される。なお、テンプレートＴＣＣＲには、先の変換後文字「お誕生日」が受け継がれる。この表示画面が、図１５（Ｃ）に示されている。
図１５（Ｃ）に示される表示画面の表示後に「↑」キーが１回押下されると、図１５（Ｄ）に示されるように、図１５（Ｂ）の場合と同様の表示となる。
【００７０】
図１５（Ｃ）を再掲する図１６（Ａ）に示される表示画面の表示後であって、編集中のテンプレートの装飾内容が、テンプレート属性編集モード処理により、当初の装飾内容から変更されていない状態で、「決定」キーが押下されると、表示領域１３Ｆにおける表示は、変換後文字「お誕生日」が受け継がれたテンプレートＴＣＣＲが表示されるテンプレート編集表示となる。そして、表示領域１３Ｓにおいては、変換後文字列「お誕生日」に継続するものとして関連する「おめでとう」、「＊おめでとう」、…が表示されるが、いずれの変化候補も選択されていない状態となる。この表示画面が、図１６（Ｂ）に示されている。
図１６（Ｂ）に示される表示画面の表示後に「↓」キーが１回押下されると、表示領域１３Ｓにおいては、変換候補「おめでとう」が選択される。また、表示領域１３Ｆにおいては、変換後文字「お誕生日」が受け継がれたテンプレートＴＣＣＲと、変換前文字列「おめでとう」がテンプレートＴＣＣＲに重ねて表示される。この表示画面が、図１６（Ｃ）に示されている。
【００７１】
一方、図１６（Ａ）を再掲する図１７（Ａ）に示される表示画面の表示後であって、集中のテンプレートの装飾内容が、テンプレート属性編集モード処理により、当初の装飾内容から変更されている状態で、「決定」キーが押下されると、それまでの画面表示に重ねてテンプレート確認表示が行われる。この場合の表示画面が、図１７（Ｂ）に示されている。
【００７２】
図１７（Ｂ）に示される表示画面の表示中に「いいえ」が選択されると、図１７（Ａ）の表示画面の表示状態に戻る。一方、図１７（Ｂ）に示される表示画面の表示中に「はい」が選択されると、図１６（Ｂ）を再掲する図１７（Ｃ）の表示画面の表示状態となる。
以後、利用者による操作部１２に対するキー操作に対応した画面遷移が行われつつ、メール本文作成における文字入力編集が行われる。
【００７３】
以上説明したように、本実施形態では、操作部１２に文字列が入力された場合に、変換候補表示制御部３７が、関連文字列記憶部２４Ｃ内の当該入力された文字列に対応する変換候補文字列と、関連テンプレート記憶部２４Ｔ内の当該入力された文字列に対応する変換候補テンプレート及びそのシンボルとを呼び出す。引き続き、変換候補表示制御部３７が、呼び出された変換候補文字列及び変換候補テンプレートのシンボルを、当該入力された文字列に対する変換候補として、表示部１３の表示画面における表示領域１３Ｓにリスト形式で表示させる。
こうして表示領域１３Ｓに変換候補が表示されている状態で、操作部１２を利用して表示領域１３Ｓ中にある変換候補選択カーソルがテンプレートのシンボルに合わされると、メール本文編集制御部３６が、当該シンボルに対応付けられた変換候補テンプレートの再生を開始する。そして、操作部１２を利用して変換候補選択カーソルが当該シンボルから外されると、メール本文編集制御部３６が、当該シンボルに対応付けられた変換候補テンプレートの再生を終了する。
【００７４】
このため、表示領域１３Ｓに表示された変換候補テンプレートのシンボルに変換候補選択カーソルを合わせることで、利用者は、当該変換候補テンプレートへの変換を選択する前に、当該変換候補テンプレートの内容を確認することができる。したがって、本発明の文書作成装置によれば、利用者が個々のテンプレートの内容を覚えていなくとも、適切なテンプレートを容易に選択することができるので、文書作成の際における利用者の利便性を向上させることができる。
【００７５】
また、本実施形態では、変換候補テンプレートへの変換が決定された場合には、新たな変換候補テンプレートの再生が必要となるまで、当該変換候補テンプレートの再生を維持するようにすることができる。このため、利用者は、表示領域１３Ｆにおけるテンプレートの表示を見ながら、対応テンプレートの編集を行うことができる。
【００７６】
また、本実施形態では、変換候補テンプレートへの変換が決定された場合には、メール本文編集制御部３６が、変換決定前における変換前文字列を当該変換候補テンプレートの編集における変換前文字列として受け継ぎ、変換決定前における変換後文字列を当該変換候補テンプレートの編集における変換後文字列として受け継ぐ。このため、当該変換候補テンプレートの編集前の文字列編集結果を利用することができ、操作部１２への同一文字列の重複入力を防止することができる。
【００７７】
[実施形態の変形]
本発明は、上記の実施形態に限定されるものではなく、様々な変形が可能である。
例えば、上記の実施形態では、本発明を携帯電話装置における変換候補テンプレートのシンボル表示を、最初に文字「＊」を付することにより、表示領域１３Ｓにおける変換候補の表示において、変換候補テンプレートと、変換候補文字列と区別できるようにした。これに対し、文字「＊」に代えて、所定の図形を付するようにすることもできるし、変換候補テンプレートのサムネールを付するようにすることもできる。
さらに、変換候補テンプレートのシンボル表示を、変換候補テンプレートのサムネール表示のみとすることもできる。
【００７８】
また、上記の実施形態では、文字列及びテンプレートを変換候補とするようにしたが、更に、静止画又は動画等を、変換候補として採用することもできる。
また、上記の実施形態では、変換候補テンプレートを表示部に表示可能なテンプレートとしたが、音声出力可能な音声テンプレートを、表示可能なテンプレートに代えて、又は、併せて変換候補テンプレートとして採用することもできる。
また、上記の実施形態では、操作部が機械的に上下するキーを有して構成されることにしたが、タッチパネルの技術を採用して操作部を構成するようにすることもできる。
【００７９】
また、上記の実施形態では、本発明を携帯電話装置における送信メールの本文作成に適用したが、パーソナルコンピュータ等における送信メールの本文作成や他の文書作成に適用することもできる。
なお、上記の実施形態における制御部２９の一部又は全部を中央処理装置（ＣＰＵ：Central Processing Unit）及び周辺回路を備えた演算処理部としてのコンピュータとして構成し、予め用意されたプログラムを当該コンピュータで実行することにより、上記の実施形態における処理の一部又は全部を実行するようにしてもよい。
【産業上の利用可能性】
【００８０】
以上説明したように、本発明の文書作成装置は、１以上の文字からなる文字列を他の文字列又はテンプレートへ変換する文書作成装置に適用することができる。また、本発明の文書作成支援プログラムは、本発明の文書作成装置を構築する際に採用することができる。
【符号の説明】
【００８１】
１０…携帯電話装置（文書作成装置）、１１…携帯電話本体、１２…操作部、１３…表示部、１３Ｆ…表示領域（第１表示領域）、１３Ｓ…表示領域（第２表示領域）、１４…通話用スピーカ、１５…マイクロフォン、１６…案内用スピーカ、１７…アンテナ、２２…送受信部、２３…記憶部、２４Ｃ…関連文字列記憶部（第１記憶部）、２４Ｔ…関連テンプレート記憶部（第２記憶部）、２４Ｗ…作業データ記憶部、２９…制御部、３１…電子メール作成部、３２…メール本文作成支援部、３６…メール本文編集制御部（再生制御部の一部及びテンプレート編集部）、３７…変換候補表示制御部（表示制御部）、３８…テンプレート再生部（再生制御部の一部）。
【図１】
2011022626.tif 000003
【図２】
2011022626.tif 000004
【図３】
2011022626.tif 000005
【図４】
2011022626.tif 000006
【図７】
2011022626.tif 000007
【図８】
2011022626.tif 000008
【図９】
2011022626.tif 000009
【図１０】
2011022626.tif 000010
【図１１】
2011022626.tif 000011
【図１２】
2011022626.tif 000012
【図５】
2011022626.tif 000013
【図６】
2011022626.tif 000014
【図１３】
2011022626.tif 000015
【図１４】
2011022626.tif 000016
【図１５】
2011022626.tif 000017
【図１６】
2011022626.tif 000018
【図１７】
2011022626.tif 000019